(57)【要約】【課題】  点灯時において、スジ状に暗くなることがなく、点灯時における見栄えをよくさせるとともに、光源ユニットを点灯又は消灯した時に発生する音鳴りを抑制可能であるＬＥＤ光源ユニット、本体ユニット及びＬＥＤ照明器具の提供を目的とする。【解決手段】  本発明のＬＥＤ光源ユニット１００は、一対の延出領域３３が、本体ユニット２００の一対の開口縁部Ｌに対向する部分に、摩擦低減部３５を有することを特徴とする。【選択図】  図１
2019197746.tif 000002
【特許請求の範囲】
【請求項１】
ＬＥＤ実装基板、取付部材、及びカバー部材を含み、
前記ＬＥＤ実装基板は、一方の表面にＬＥＤが実装された基板であり、
前記取付部材は、前記取付部材を収容可能な凹部を有する本体ユニットへの取付部材であり、前記ＬＥＤ実装基板を前記取付部材に取り付けるための一対の底部と、前記一対の底部から夫々起立した一対の側壁部と、前記側壁部の一端同士を結ぶ土台部とを有し、前記ＬＥＤ実装基板における実装面とは反対側の面の長手方向両端寄りに一対が配置され、
前記カバー部材は、前記ＬＥＤ実装基板の実装面を覆うカバー部と前記ＬＥＤ実装基板を収容するレール部とを含み、前記カバー部の短手方向における一対の縁部が、短手方向において、前記本体ユニットの凹部の開口よりも外側に延出する一対の延出領域を有し、
前記カバー部の一対の延出領域は、前記本体ユニットの一対の開口縁部に対向する部分で前記レール部の短手方向の外側に、摩擦低減部を有し、
使用時において、
前記取付部材は、前記本体ユニットの凹部の長手方向の両端寄りに前記一対が収容され、
前記カバー部材は、前記ＬＥＤ実装基板の実装面に対する垂直方向において、前記ＬＥＤ実装基板の実装面及び前記本体ユニットの凹部の開口を覆うように配置され、
前記本体ユニットの凹部の短手方向における一対の開口縁部と、前記一対の開口縁部に対向する前記カバー部の一対の延出領域とは、それぞれ、前記ＬＥＤ実装基板の実装面に対する垂直方向において、長手方向に沿って重なり、且つ前記一対の開口縁部と、それに対向する前記カバー部の前記一対の延出領域とが、直接的又は間接的に接触しており、
前記摩擦低減部によって、前記カバー部の一対の延出領域と前記本体ユニットの一対の開口縁部との間で発生する摩擦が低減されることを特徴とするＬＥＤ光源ユニット。
【請求項２】
前記摩擦低減部として、スペーサーを有し、
前記スペーサーを介して、前記一対の開口縁部と前記一対の延出領域とが、間接的に接触している、請求項１記載のＬＥＤ光源ユニット。
【請求項３】
前記スペーサーが、テープである、請求項２記載のＬＥＤ光源ユニット。
【請求項４】
前記摩擦低減部として、潤滑剤層を有し、
前記潤滑剤層を介して、前記一対の開口縁部と前記一対の延出領域とが、間接的に接触している、請求項１から３のいずれか一項に記載のＬＥＤ光源ユニット。
【請求項５】
前記摩擦低減部として、表面が凹凸状の粗面層を有し、
前記粗面層を介して、前記一対の開口縁部と前記一対の延出領域とが、直接的又は間接的に接触している、請求項１から４のいずれか一項に記載のＬＥＤ光源ユニット。
【請求項６】
前記粗面層は、前記一対の延出領域の表面層であり、前記表面層は、前記表面が粗面化処理された表面層である、請求項５記載のＬＥＤ光源ユニット。
【請求項７】
前記粗面層は、前記一対の延出領域の表面層であり、前記一対の延出領域が、フィラーを含有する樹脂体である、請求項５記載のＬＥＤ光源ユニット。
【請求項８】
ＬＥＤ光源ユニットを取り付けるための凹部を有する本体ユニットであり、
前記本体ユニットに取付けられるＬＥＤ光源ユニットは、
ＬＥＤ実装基板、取付部材、及びカバー部材を含み、
前記ＬＥＤ実装基板は、一方の表面にＬＥＤが実装された基板であり、
前記取付部材は、前記取付部材を収容可能な凹部を有する本体ユニットへの取付部材であり、前記ＬＥＤ実装基板を前記取付部材に取り付けるための一対の底部と、前記一対の底部から夫々起立した一対の側壁部と、前記側壁部の一端同士を結ぶ土台部とを有し、前記ＬＥＤ実装基板における実装面とは反対側の面の長手方向両端寄りに一対が配置され、
前記カバー部材は、前記ＬＥＤ実装基板の実装面を覆うカバー部と前記ＬＥＤ実装基板を収容するレール部とを含み、前記カバー部の短手方向における一対の縁部が、短手方向において、前記本体の凹部の開口よりも外側に延出する一対の延出領域を有し、
前記凹部の短手方向における一対の開口縁部は、前記カバー部の一対の延出領域に対向する部分で前記レール部の短手方向の外側に、摩擦低減部を有し、
使用時において、
前記取付部材は、前記本体ユニットの凹部の長手方向の両端寄りに前記一対が収容され、
前記カバー部材は、前記ＬＥＤ実装基板の実装面に対する垂直方向において、前記ＬＥＤ実装基板の実装面及び前記本体ユニットの凹部の開口を覆うように配置され、
前記本体ユニットの凹部の短手方向における一対の開口縁部と、前記一対の開口縁部に対向する前記カバー部の一対の延出領域とは、それぞれ、前記ＬＥＤ実装基板の実装面に対する垂直方向において、長手方向に沿って重なり、且つ前記一対の開口縁部と、それに対向する前記カバー部の前記一対の延出領域とが、直接的又は間接的に接触しており、
前記摩擦低減部によって、前記カバー部の一対の延出領域と前記本体ユニットの一対の開口縁部との間で発生する摩擦が低減されることを特徴とするＬＥＤ照明器具の本体ユニット。
【請求項９】
前記摩擦低減部として、スペーサーを有し、
前記スペーサーを介して、前記一対の開口縁部と前記一対の延出領域とが、間接的に接触している、請求項８記載の本体ユニット。 
【請求項１０】
前記スペーサーが、テープである、請求項９記載の本体ユニット。
【請求項１１】
前記摩擦低減部として、潤滑剤層を有し、
前記潤滑剤層を介して、前記一対の開口縁部と前記一対の延出領域とが、間接的に接触している、請求項８から１０のいずれか一項に記載の本体ユニット。
【請求項１２】
前記摩擦低減部として、表面が凹凸形状の粗面層を有し、
前記粗面層を介して、前記一対の開口縁部と前記一対の延出領域とが、直接的又は間接的 に接触している、請求項８から１１のいずれか一項に記載の本体ユニット。
【請求項１３】
前記粗面層は、前記一対の開口縁部の表面層であり、前記表面層は、前記表面が粗面化処理された表面層である、請求項１２記載の本体ユニット。
【請求項１４】
ＬＥＤ光源ユニット及び本体ユニットを含み、
前記ＬＥＤ光源ユニットは、
ＬＥＤ実装基板、取付部材、及びカバー部材を含み、
前記ＬＥＤ実装基板は、一方の表面にＬＥＤが実装された基板であり、
前記取付部材は、前記取付部材を収容可能な凹部を有する本体ユニットへの取付部材であり、前記ＬＥＤ実装基板を前記取付部材に取り付けるための一対の底部と、前記一対の底部から夫々起立した一対の側壁部と、前記側壁部の一端同士を結ぶ土台部とを有し、前記ＬＥＤ実装基板における実装面とは反対側の面の長手方向両端寄りに一対が配置され、
前記カバー部材は、前記ＬＥＤ実装基板の実装面を覆うカバー部と前記ＬＥＤ実装基板を収容するレール部とを含み、前記カバー部の短手方向における一対の縁部が、短手方向において、前記本体ユニットの凹部の開口よりも外側に延出する一対の延出領域を有し、
前記本体ユニットは、
前記ＬＥＤ光源ユニットを取り付けるための凹部を有し、
前記カバー部の一対の延出領域であって、前記本体ユニットの一対の開口縁部に対向する部分、及び、前記本体ユニットの凹部の短手方向における一対の開口縁部であって、前記カバー部の一対の延出領域に対向する部分の少なくとも一方が、前記レール部の短手方向の外側に摩擦低減部を有しており、
使用時において、
前記ＬＥＤ光源ユニットの前記取付部材は、前記本体ユニットの凹部の長手方向の両端寄りに前記一対が収容され、
前記カバー部材は、前記ＬＥＤ実装基板の実装面に対する垂直方向において、前記ＬＥＤ実装基板の実装面及び前記本体ユニットの凹部の開口を覆うように配置され、
前記本体ユニットの凹部の短手方向における一対の開口縁部と、前記一対の開口縁部に対向する前記カバー部の一対の延出領域とは、それぞれ、前記ＬＥＤ実装基板の実装面に対する垂直方向において、長手方向に沿って重なり、且つ前記一対の開口縁部と、それに対向する前記カバー部の前記一対の延出領域とが、直接的又は間接的に接触しており、
前記摩擦低減部によって、前記カバー部の一対の延出領域と前記本体ユニットの一対の開口縁部との間で発生する摩擦が低減されることを特徴とするＬＥＤ照明器具。
【請求項１５】
前記ＬＥＤ光源ユニットが、請求項１から７のいずれか一項に記載のＬＥＤ光源ユニット である、請求項１４記載のＬＥＤ照明器具。
【請求項１６】
前記本体ユニットが、請求項８から１３のいずれか一項に記載の本体ユニットである請求項１４又は１５記載のＬＥＤ照明器具。
【発明の詳細な説明】
【技術分野】
【０００１】
本発明は、ＬＥＤ光源ユニット、本体ユニット、及びＬＥＤ照明器具に関する。
【背景技術】
【０００２】
天井直付け型の照明器具として、略中央に凹部が設けられた長尺状の器具本体、及び前記器具本体の収容凹部に取り付けられる光源ユニットを含む照明器具が、一般的に知られている。前記光源ユニットは、例えば、光源部及び取付部を含み、前記取付部を、前記器具本体の前記凹部に取り付けることにより、前記光源ユニットの前記光源が、器具本体内部に収容される。前記天井直付け型の照明器具としては、例えば、特許文献１記載のＬＥＤ（発光ダイオード）照明器具が挙げられる。
【０００３】
特許文献１記載のＬＥＤ照明器具は、光源ユニットが、さらに、照明用カバー部材を備える。前記カバー部材は、前記取付部に取り付けるための一対の突壁部と、前記一対の突壁部よりも外側に延出する一対の延出部とを含む。そして、前記器具本体の収容凹部に前記光源ユニットを配置した状態では、前記器具本体の長手方向及び幅方向と直交する方向において、前記一対の延出部が、それぞれ前記収容凹部の開口端縁と隙間が生じないように重なる。これにより、特許文献１記載のＬＥＤ照明器具は、前記カバー部材と前記収容凹部との間に隙間が生じないため、前記光源ユニットを点灯させた際、隙間の発生によってスジ状に暗くなる事が無く、見栄えが良い。
【先行技術文献】
【特許文献】
【０００４】
【特許文献１】特許第５４９２３４４号公報
【発明の概要】
【発明が解決しようとする課題】
【０００５】
しかしながら、特許文献１記載のＬＥＤ照明器具は、点灯時又は消灯時において、前記器具本体及び前記カバー部材の接触面で音鳴りが発生するという問題がある。
【０００６】
そこで、本発明は、点灯時において、隙間の発生によってスジ状に暗くなる事が無く、見栄えをよくさせるとともに、光源ユニットを点灯又は消灯した時に発生する音鳴りを抑制可能なＬＥＤ光源ユニット、本体ユニット及びＬＥＤ照明器具の提供を目的とする。
【課題を解決するための手段】
【０００７】
前記目的を達成するために、本発明のＬＥＤ光源ユニットは、
ＬＥＤ実装基板、取付部材、及びカバー部材を含み、
前記ＬＥＤ実装基板は、一方の表面にＬＥＤが実装された基板であり、
前記取付部材は、前記取付部材を収容可能な凹部を有する本体ユニットへの取付部材であり、前記ＬＥＤ実装基板を前記取付部材に取り付けるための一対の底部と、前記一対の底部から夫々起立した一対の側壁部と、前記側壁部の一端同士を結ぶ土台部とを有し、前記ＬＥＤ実装基板における実装面とは反対側の面の長手方向両端寄りに一対が配置され、
前記カバー部材は、前記ＬＥＤ実装基板の実装面を覆うカバー部と前記ＬＥＤ実装基板を収容するレール部とを含み、前記カバー部の短手方向における一対の縁部が、短手方向において、前記本体ユニットの凹部の開口よりも外側に延出する一対の延出領域を有し、
前記カバー部の一対の延出領域は、前記本体ユニットの一対の開口縁部に対向する部分で前記レール部の短手方向の外側に、摩擦低減部を有し、
使用時において、
前記取付部材は、前記本体ユニットの凹部の長手方向の両端寄りに前記一対が収容され、
前記カバー部材は、前記ＬＥＤ実装基板の実装面に対する垂直方向において、前記ＬＥＤ実装基板の実装面及び前記本体ユニットの凹部の開口を覆うように配置され、
前記本体ユニットの凹部の短手方向における一対の開口縁部と、前記一対の開口縁部に対向する前記カバー部の一対の延出領域とは、それぞれ、前記ＬＥＤ実装基板の実装面に対する垂直方向において、長手方向に沿って重なり、且つ前記一対の開口縁部と、それに対向する前記カバー部の前記一対の延出領域とが、直接的又は間接的に接触しており、
前記摩擦低減部によって、前記カバー部の一対の延出領域と前記本体ユニットの一対の開口縁部との間で発生する摩擦が低減されることを特徴とする。
【０００８】
本発明の本体ユニットは、
ＬＥＤ光源ユニットを取り付けるための凹部を有する本体ユニットであり、
前記本体ユニットに取付けられるＬＥＤ光源ユニットは、
ＬＥＤ実装基板、取付部材、及びカバー部材を含み、
前記ＬＥＤ実装基板は、一方の表面にＬＥＤが実装された基板であり、
前記取付部材は、前記取付部材を収容可能な凹部を有する本体ユニットへの取付部材であり、前記ＬＥＤ実装基板を前記取付部材に取り付けるための一対の底部と、前記一対の底部から夫々起立した一対の側壁部と、前記側壁部の一端同士を結ぶ土台部とを有し、前記ＬＥＤ実装基板における実装面とは反対側の面の長手方向両端寄りに一対が配置され、
前記カバー部材は、前記ＬＥＤ実装基板の実装面を覆うカバー部と前記ＬＥＤ実装基板を収容するレール部とを含み、前記カバー部の短手方向における一対の縁部が、短手方向において、前記本体の凹部の開口よりも外側に延出する一対の延出領域を有し、
前記凹部の短手方向における一対の開口縁部は、前記カバー部の一対の延出領域に対向する部分で前記レール部の短手方向の外側に、摩擦低減部を有し、
使用時において、
前記取付部材は、前記本体ユニットの凹部の長手方向の両端寄りに前記一対が収容され、
前記カバー部材は、前記ＬＥＤ実装基板の実装面に対する垂直方向において、前記ＬＥＤ実装基板の実装面及び前記本体ユニットの凹部の開口を覆うように配置され、
前記本体ユニットの凹部の短手方向における一対の開口縁部と、前記一対の開口縁部に対向する前記カバー部の一対の延出領域とは、それぞれ、前記ＬＥＤ実装基板の実装面に対する垂直方向において、長手方向に沿って重なり、且つ前記一対の開口縁部と、それに対向する前記カバー部の前記一対の延出領域とが、直接的又は間接的に接触しており、
前記摩擦低減部によって、前記カバー部の一対の延出領域と前記本体ユニットの一対の開口縁部との間で発生する摩擦が低減されることを特徴とする。
【０００９】
本体のＬＥＤ照明器具は、
ＬＥＤ光源ユニット及び本体ユニットを含み、
前記ＬＥＤ光源ユニットは、
ＬＥＤ実装基板、取付部材、及びカバー部材を含み、
前記ＬＥＤ実装基板は、一方の表面にＬＥＤが実装された基板であり、
前記取付部材は、前記取付部材を収容可能な凹部を有する本体ユニットへの取付部材であり、前記ＬＥＤ実装基板を前記取付部材に取り付けるための一対の底部と、前記一対の底部から夫々起立した一対の側壁部と、前記側壁部の一端同士を結ぶ土台部とを有し、前記ＬＥＤ実装基板における実装面とは反対側の面の長手方向両端寄りに一対が配置され、
前記カバー部材は、前記ＬＥＤ実装基板の実装面を覆うカバー部と前記ＬＥＤ実装基板を収容するレール部とを含み、前記カバー部の短手方向における一対の縁部が、短手方向において、前記本体ユニットの凹部の開口よりも外側に延出する一対の延出領域を有し、
前記本体ユニットは、
前記ＬＥＤ光源ユニットを取り付けるための凹部を有し、
前記カバー部の一対の延出領域であって、前記本体ユニットの一対の開口縁部に対向する部分、及び、前記本体ユニットの凹部の短手方向における一対の開口縁部であって、前記カバー部の一対の延出領域に対向する部分の少なくとも一方が、前記レール部の短手方向の外側に摩擦低減部を有しており、
使用時において、
前記ＬＥＤ光源ユニットの前記取付部材は、前記本体ユニットの凹部の長手方向の両端寄りに前記一対が収容され、
前記カバー部材は、前記ＬＥＤ実装基板の実装面に対する垂直方向において、前記ＬＥＤ実装基板の実装面及び前記本体ユニットの凹部の開口を覆うように配置され、
前記本体ユニットの凹部の短手方向における一対の開口縁部と、前記一対の開口縁部に対向する前記カバー部の一対の延出領域とは、それぞれ、前記ＬＥＤ実装基板の実装面に対する垂直方向において、長手方向に沿って重なり、且つ前記一対の開口縁部と、それに対向する前記カバー部の前記一対の延出領域とが、直接的又は間接的に接触しており、
前記摩擦低減部によって、前記カバー部の一対の延出領域と前記本体ユニットの一対の開口縁部との間で発生する摩擦が低減されることを特徴とする。
【発明の効果】
【００１０】
本発明によれば、点灯時において、隙間の発生によってスジ状に暗くなることが無く、見栄えをよくさせるとともに、光源ユニットを点灯又は消灯した時に発生する音鳴りを抑制可能なＬＥＤ光源ユニット、本体ユニット及びＬＥＤ照明器具を提供可能である。
【図面の簡単な説明】
【００１１】
【図１】図１は、実施形態１のＬＥＤ照明器具の一例を示す下方向からの斜視図である。
【図２】図２（ａ）及び（ｂ）は、本実施形態のＬＥＤ光源ユニットの一例を示す下方向からの斜視図及び上方向からの斜視図である。
【図３】図３は、実施形態１の取付部材の一例を示す斜視図である。
【図４】図４は、実施形態１の本体ユニットの一例を示す下方向からの斜視図である。
【図５】図５は、実施形態２のＬＥＤ照明器具の一例を示す下方向からの斜視図である。
【図６】図６は、実施形態３のＬＥＤ照明器具の一例を示す下方向からの斜視図である。
【発明を実施するための形態】
【００１２】
本発明のＬＥＤ光源ユニットは、前述のように、前記一対の延出領域が、前記本体ユニットの一対の開口縁部に対向する部分に、前記摩擦低減部を有することを特徴とし、本発明の本体ユニットは、前記一対の開口縁部が、前記ＬＥＤ光源ユニットの一対の延出領域に対向する部分に、前記摩擦低減部を有することを特徴とする。本発明のＬＥＤ照明器具は、ＬＥＤ光源ユニット及び本体ユニットの少なくとも一方が、前記摩擦低減部を有する。
【００１３】
そこで、本発明のＬＥＤ照明器具について、前記摩擦低減部を有する本発明のＬＥＤ光源ユニットを備える形態を実施形態１、前記摩擦低減部を有する本発明の本体ユニットを備える形態を実施形態２、前記摩擦低減部を有する本発明のＬＥＤ光源ユニット及び前記摩擦低減部を有する本発明の本体ユニットの双方を備える形態を実施形態３として、以下、本発明のＬＥＤ光源ユニット、本発明の本体ユニット及びＬＥＤ照明器具について、図面を参照して詳細に説明する。ただし、本発明は、以下の説明に限定されない。なお、以下の図１〜図６において、同一部分には、同一符号を付し、その説明を省略する場合がある。また、図面においては、説明の便宜上、各部の構造は適宜簡略化して示す場合があり、各部の寸法比等は、実際とは異なり、模式的に示す場合がある。
【００１４】
以下、「使用時」とは、例えば、ＬＥＤ光源ユニットを本体ユニットに取り付け、ＬＥＤ照明器具として使用する時をいう。
【００１５】
以下、図１〜図２及び図４〜図６において、長手方向Ｙにおける紙面の手前方向を「前方」とし、奥方向を「後方」とする。
【００１６】
［実施形態１］
［ＬＥＤ照明器具］
図１は、本実施形態のＬＥＤ照明器具の一例を示す下方向からの斜視図である。ＬＥＤ照明器具１０００は、摩擦低減部を有するＬＥＤ光源ユニット１００、及び本体ユニット２００を、主要構成要素として含む。以下では、まず、ＬＥＤ光源ユニット１００の構成について説明し、次に、本体ユニット２００の構成について説明する。尚、以下で説明するＬＥＤ光源ユニット及び本体ユニットは、それぞれ、本発明の前記ＬＥＤ光源ユニット及び本体ユニットの説明でもある。
【００１７】
［ＬＥＤ光源ユニット］
図２（ａ）及び（ｂ）は、本実施形態のＬＥＤ光源ユニットの一例を示す下方向からの斜視図及び上方向からの斜視図である。ＬＥＤ光源ユニット１００は、図１のＬＥＤ光源ユニット１００と同一である。ＬＥＤ光源ユニット１００は、ＬＥＤ実装基板１０、取付部材２０、及びカバー部材３０を主要構成要素として含み、電源部４０を任意の構成要素として含む。
【００１８】
（１）ＬＥＤ実装基板
ＬＥＤ実装基板１０は、図２に示すように、一方の表面（実装面）１２にＬＥＤ１１が実装された基板である。図２に示すＬＥＤ実装基板１０では、複数のＬＥＤ１１が前記基板の実装面１２に実装されているが、本実施形態において、ＬＥＤ１１の数は、これに限定されず、一つであってもよい。また、ＬＥＤ実装基板１０は、例えば、配線等の電源接続手段により電源部４０と接続されている。尚、本実施形態において、ＬＥＤ実装基板１０の後方の端部には、例えば、ＬＥＤ実装基板１０と電源部４０とを電気的に接続するためのコネクタを実装し、前記コネクタと電源部４０とが前記電源接続手段により接続されていてもよい。
【００１９】
本実施形態において、ＬＥＤ実装基板１０を構成する基板（単位基板）の数は、一つであってもよいし、複数であってもよい。前記単位基板が複数の場合、ＬＥＤ実装基板１０は、例えば、ＬＥＤ実装基板１０の長手方向Ｙに沿って、コネクタ等の接続手段を介して、前記単位基板を互いを接続させることで構成されてもよい。
【００２０】
（２）取付部材
図２に示す取付部材２０は、取付部材２０を収容可能な凹部を有する本体ユニットへの取付部材である。図２に示す取付部材２０は、ＬＥＤ実装基板１０において、実装面１２とは反対側の面に配置される。
【００２１】
図２に示す取付部材２０の構成について、図３を用いて説明する。図３は、取付部材２０の一例を示す斜視図である。図３に示す取付部材２０は、一対の底部２１、一対の側壁部２２、及び土台部２３で構成される。一対の側壁部２２により、一対の底部の各底部２１及び土台部２３が連結されている。各底部２１には、ＬＥＤ実装基板１０と固定するためのねじ止め孔２４が設けられている。これにより、ねじ等の固定手段を用いて、ＬＥＤ実装基板１０を取付部材２０に取り付ける。各側壁部２２には、係止穴２５が一つ設けられており、土台部２３には、係止穴２６が２つ設けられている。これらの係止穴２５及び係止穴２６は、後述する本体ユニット側に設けられた板バネ状係止片に対する係止穴である。前記板バネ状係止片が、係止穴２５及び係止穴２６へ係止されることにより、図１のＬＥＤ照明器具１０００に示すように、ＬＥＤ光源ユニット１００が、本体ユニット２００に取り付けられる。この場合、図１に示すように、使用時において、取付部材２０は、本体ユニット２００の凹部に収容される。
【００２２】
（３）カバー部材
図２に示すカバー部材３０は、ＬＥＤ実装基板１０に対するカバー部材である。使用時において、カバー部材３０は、ＬＥＤ実装基板１０の実装面１２に対する垂直方向Ｚにおいて、ＬＥＤ実装基板１０の実装面及び本体ユニット２００の凹部２１１の開口を覆うように配置される。
【００２３】
カバー部材３０は、例えば、ＬＥＤ実装基板１０の実装面１２を覆うカバー部３１と、ＬＥＤ実装基板１０を収容するレール部３２とを含む。尚、本実施形態において、レール部３２は、任意の構成要素であり、なくてもよい。
【００２４】
カバー部３１は、カバー部材３０の短手方向Ｘにおける一対の縁部Ｈが、短手方向Ｘにおいて、後述の図４に示す本体ユニット２００の凹部２１１の開口よりも外側に延出する一対の延出領域３３を有する。使用時において、本体ユニット２００の凹部２１１の短手方向Ｘにおける一対の開口縁部Ｌと、一対の開口縁部Ｌに対向するカバー部材３０の一対の延出領域３３とは、それぞれ、ＬＥＤ実装基板１０の実装面１２に対する垂直方向Ｚにおいて、長手方向Ｙに沿って重なり、且つ一対の開口縁部Ｌと、それに対向するカバー部材３０の一対の延出領域３３とが、直接的又は間接的に接触している。尚、ここでいう直接的に接触しているとは、例えば、一対の開口縁部Ｌと、前記対向する一対の延出領域３３とが、直接接触する形態をいい、間接的に接触しているとは、一対の開口縁部Ｌと、前記対向する一対の延出領域３３とが、後述のスペーサー等のように別部材を介して接触すする形態をいう。また、直接的又は間接的に接触しているとは、例えば、一対の開口縁部Ｌと、それに対向するカバー部材３０の一対の延出領域３３との間に隙間が形成されない形態であるということもできる。
【００２５】
図２に示す一対の延出領域３３は、本体ユニット２００の一対の開口縁部Ｌに対向する部分に摩擦低減部３５を有する。使用時において、摩擦低減部３５により、カバー部材３０の一対の延出領域３３と本体ユニット２００の一対の開口端縁Ｌとの間で発生する摩擦が低減される。
【００２６】
摩擦低減部３５としては、例えば、スペーサーを有してもよい。この場合、前記スペーサーを介して、一対の開口縁部Ｌと一対の延出領域３３とが、間接的に接触している。
【００２７】
前記スペーサーとしては、特に制限されず、例えば、粘着テープ等のテープ、ゴム弾性体（エラストマー）シート等が挙げられる。前記テープとしては、特に制限されず、例えば、ガラステープ、金属テープ、樹脂テープ、エラストマーテープ等が挙げられる。前記ガラステープとは、例えば、ガラス繊維を織ったテープ等が挙げられる。前記金属テープとしては、例えば、アルミを薄くしたアルミテープ等が挙げられる。前記樹脂テープとしては、例えば、フッ素樹脂等の樹脂製のテープ等が挙げられる。前記エラストマーテープとしては、例えば、熱可塑性ポリウレタン等の樹脂製のテープ等が挙げられる。前記テープの膜の厚さとしては、特に制限されず、例えば、０．００５〜１ｍｍである。前記スペーサーが、テープの場合、例えば、一対の延出領域３３の前記対向する部分に前記テープが貼設される。
【００２８】
摩擦低減部３５としては、例えば、潤滑剤層を有してもよい。この場合、前記潤滑剤層を介して、一対の開口縁部Ｌと一対の延出領域３３とが、間接的に接触している。
【００２９】
前記潤滑剤としては、特に制限されず、例えば、潤滑油、グリース、フッ素系樹脂コーティング等が挙げられる。
【００３０】
前記潤滑剤層は、例えば、一対の延出領域３３の前記対向する部分に、前記潤滑剤を配置することにより形成される。前記潤滑剤を配置する方法は、例えば、塗布等があげられるが、特に制限されず、一般的な公知技術に準じて行うことができる。
【００３１】
摩擦低減部３５としては、例えば、表面が凹凸状の粗面層を有してもよい。前記粗面層を介して、例えば、一対の開口縁部Ｌと前記一対の延出領域３３とが、直接又は間接的に接触している。
【００３２】
前記粗面層は、例えば、一対の延出領域３３の表面層であり、前記表面層は、前記表面が粗面化処理された表面層である。又は、前記粗面層は、例えば、一対の延出領域３３の表面層であり、一対の延出領域３３が、フィラーを含有する樹脂体である。この場合、一対の開口縁部Ｌと一対の延出領域３３とは、例えば、直接に接触している。
【００３３】
前記粗面化処理としては、特に制限されず、例えば、表面研削処理、ショットブラスト処理若しくはサンドブラスト処理等のブラスト処理、エンボス加工処理等が挙げられる。前記表面化処理は、前記ブラスト処理であることが好ましい。前記粗面化処理は、一般的な公知技術に準じて行ってもよい。
【００３４】
前記樹脂体に含有されるフィラーとしては、例えば、前記樹脂体の表面に凹凸状を形成可能であれば、特に制限されない。前記樹脂体は、例えば、前記フィラーが表面上で凝集することにより、表面が凹凸状の形状を有する。前記フィラーとしては、例えば、無機粒子、有機粒子等が挙げられ、前記無機粒子は、例えば、酸化ケイ素粒子、酸化チタン粒子、酸化アルミニウム粒子等が挙げられ、前記有機粒子は、例えば、ポリメチルメタクリレート樹脂粉末（ＰＭＭＡ粒子）、シリコーン樹脂粉末、ポリスチレン樹脂粉末等が挙げられるこれらの無機粒子および有機粒子は、一種類を単独で使用してもよいし、二種類以上を併用してもよい。前記フィラーを表面上で凝集する方法については、特に制限されず、一般的な公知技術に準じて行えばよい。
【００３５】
一対のレール部の各レール部３２は、一対の延出領域３３に対し、起立した状態で配置される。各レール部３２は、長手方向Ｙに沿って、内部に溝３４を有する。ＬＥＤ実装基板１０は、例えば、各レール部３２の溝３４にスライド可能に挿入される。使用時において、図１に示すように、一対のレール部３２は、本体ユニット２００の凹部２１１に収容される。
【００３６】
カバー部材３０は、例えば、ＬＥＤ１１からの照射光を透過可能であってもよいし、前記照射光を拡散可能であってもよい。カバー部材３０の形成材料としては、特に制限されず、例えば、透過性のポリカーボネート、アクリル樹脂等が挙げられる。
【００３７】
カバー部材３０のカバー部３１の形状は、略逆台形形状であるが、本実施形態において、カバー部の形状は、一対の延出領域３３を有するのであれば、これに限定されない。前記カバー部の形状としては、例えば、略凸レンズ形状、略半円形状、略扇形形状、略台形形状等であってもよいし、例示した前記形状を有していてもよい。
【００３８】
本実施形態において、一対のレール部３２は、前述の通り、カバー部材３０の構成要素として任意の構成要素であり、なくてもよい。カバー部材３０の構成要素として、一対のレール部３２を含まない場合は、例えば、カバー部３１上面に、ＬＥＤ実装基板１０を配置し、ねじ等の固定手段を用いて固定してもよい。
【００３９】
（４）電源部
電源部４０は、例えば、図２に示すように、ＬＥＤ実装基板１０の実装面１２と反対側の面の略中央部に配置される。
【００４０】
電源部４０は、例えば、電源基板及びケースを含み、前記電源基板は、前記ケースに収納される。前記電源基板は、例えば、ＬＥＤ１１を駆動するための回路部品が実装された基板であり、電源部４０とＬＥＤ実装基板１０とを電気的に接続することにより、ＬＥＤ１１を駆動する。
【００４１】
（５）サイドキャップ
本実施形態において、ＬＥＤ光源ユニットは、一対のサイドキャップを含んでもよい。前記一対のサイドキャップは、それぞれ、カバー部材３０に対するサイドキャップであり、カバー部材３０の長手方向Ｙの端部を挿入する挿入部を有する。使用時において、前記一対のサイドキャップに、それぞれ、カバー部材３０の長手方向Ｙの両端が挿入される。また、前記サイドキャップは、例えば、カバー部材３０だけでなく、カバー部材３０およびＬＥＤ実装基板１０の基板に対するサイドキャップであってもよい。
【００４２】
［本体ユニット］
次に、本実施形態のＬＥＤ照明器具１０００の構成要素である本体ユニット２００について図４を用いて説明する。本体ユニット２００は、図１の本体ユニット２００と同一である。
【００４３】
本体ユニット２００は、例えば、本体板２１０、一対の板バネ状係止片２２０を含む。
【００４４】
本体板２１０は、例えば、長手方向Ｙに延びる凹部２００と、長手方向Ｙに延びる、凹部２００に連結した傾斜面とを有する。凹部２００は、その幅方向の断面形状が、凹状であり、前記傾斜面は、その幅方向の断面形状が、上方向に向かって広がるテーパー状である。
【００４５】
板バネ状係止片２２０は、本体板２１０の長手方向Ｙの前方の端部側及び後方の端部側のそれぞれに、取り付けられる。板バネ状係止片２２０は、例えば、先端部２２２に向かう間に折り返した形状をしており、前記折り返した端部２２１を有し、折り返した端部２２１は、カーブ形状を有する。そして、図１に示すように、折り返した端部２２１が、取付部材２０の土台部２３の係止穴２６を通り、先端部２２２が、各側壁部２２の係止穴２５を通ることにより、板バネ状係止片２２０が取付部材２０に係止され、本体ユニット２００を、取付部材２０に取り付けることが可能である。
【００４６】
本体板２１０及び板バネ状係止片２２０は、例えば、板金に曲げ加工を施し、不要部分を削ぎ取ることにより形成される。
【００４７】
本体ユニット２００は、例えば、本体板２１０の凹部２１１の底面に、孔（図示せず）を設け、天井材に設けられた吊ボルトを前記孔に通し、前記吊ボルトにナット等の固定手段をねじ込んで、前記天井材に固定される。
【００４８】
本体ユニット２００は、さらに、端子台を構成要素として備えてもよい。前記端子台は、例えば、本体板２１０の凹部２１１の底面２１３に配置される。前記端子台には、電源部４０に電力を供給するために天井材側に露出する電源線が接続されており、さらに、電源部４０との間を電気的に接続する電線が接続されていてもよい。
【００４９】
以下、図２に示すＬＥＤ光源ユニット１００を、図４に示す本体ユニット２００へ取り付けて、図１のＬＥＤ照明器具をセットする方法について説明する。前述の通り、本体ユニット２００の前方の端部及び後方の端部に設けられた各板バネ状係止片２２０の折り返し端部２２１を、取付部材２０の土台部２３の係止穴２６に通させ、先端部２２２を、取付部材２０の各側壁２２の係止穴２５に通させる。これにより、取付部材２０は、本体ユニット２００の開口部２１１内に収容される状態で、本体ユニット２００に取り付けられる。このとき、本体ユニット２００の凹部２１１の短手方向Ｘにおける一対の開口縁部Ｌと、一対の開口縁部Ｌに対向するカバー部材３０の一対の延出領域３３とは、それぞれ、ＬＥＤ実装基板１０の実装面１２に対する垂直方向Ｚにおいて、長手方向Ｙに沿って重なる。そして、一対の開口縁部Ｌと、それに対向するカバー部材３０の一対の延出領域３３とが、直接的又は間接的に接触している。このようにして、ＬＥＤ光源ユニット１００を本体ユニット２００へ取りつけ、図１に示すＬＥＤ照明器具１０００をセットすることができる。
【００５０】
尚、本実施形態において、本体ユニット２００の凹部２１１の一対の開口縁部Ｌと、それに対向するカバー部材３０の一対の延出領域３３とが、直接的又は間接的に接触するように、例えば、板バネ状係止片２２０を手動で折り曲げる等により、適宜調整してもよい。
【００５１】
以下、図１のＬＥＤ照明器具１０００の本体ユニット２００を天井材に取り付ける方法の一例を説明する。本体ユニット２００に設けられた本体板２１０の凹部２１１の底面２１３の孔（図示せず）に、天井材に設けられた吊ボルトを通し、前記吊ボルトにナット等の固定手段をねじ込んで、前記天井材に固定する。このようにして、図１のＬＥＤ照明器具１０００を天井材に取り付けることができる。
【００５２】
図１に示すＬＥＤ照明器具では、前述の通り、一対の開口縁部Ｌと、それに対向するカバー部材３０の一対の延出領域３３とは、それぞれ、ＬＥＤ実装基板１０の実装面１２に対する垂直方向Ｚにおいて、長手方向Ｙに沿って重なる。そして、一対の開口縁部Ｌと、それに対向するカバー部材３０の一対の延出領域３３とが、直接的又は間接的に接触している。これにより、図１に示すＬＥＤ照明器具１０００は、点灯時において、スジ状に暗くなることなく、点灯時における見栄えが良い。
【００５３】
一般的なＬＥＤ照明器具では、カバー部材の形成材料としては樹脂が用いられており、前記器具本体の形成材料として金属が用いられている。つまり、前記カバー部材及び前記器具本体は、膨張率の異なる材料で形成されている。このため、特許文献１記載のＬＥＤ照明器具のように、前記直交方向において、前記各延出部が、前記開口端縁と隙間なく重なる場合、点灯時又は消灯時の温度変化により、前記器具本体及び前記カバー部材の接触面で摩擦による音鳴りが発生する。
【００５４】
これに対し、図１に示すＬＥＤ照明器具では、カバー部材３０の一対の延出領域３３の前記対向する部分に、摩擦低減部３５を有する。そして、摩擦低減部３５により、カバー部材３０の一対の延出領域３３と本体ユニット２００の一対の開口縁部Ｌとの間で発生する摩擦が低減される。これにより、図１に示すＬＥＤ照明器具１０００は、点灯時又は消灯時の温度変化により発生するカバー部材３０及び本体ユニット２００の開口の端縁の擦れから生じる音鳴りを抑制できる。このため、本発明のＬＥＤ照明器具は、例えば、前述のような材料の違いに影響を受けることなく、音鳴りを抑制することができる。
【００５５】
［実施形態２］
図５は、本実施形態のＬＥＤ照明器具の一例を示す下方向からの斜視図である。ＬＥＤ照明器具２０００は、ＬＥＤ光源ユニット３００、及び摩擦低減部を有する本体ユニット４００を、主要構成要素として含む。ＬＥＤ照明器具２０００は、カバー部材３０の一対の延出領域３３の前記対向する部分に代えて、器具本体４００の凹部２１１開口縁部Ｌにおける、一対の延出領域３３に対向する部分に摩擦低減部４３５を有すること以外は、図１に示す前記実施形態１のＬＥＤ照明器具１０００と同一である。
【００５６】
本実施形態においても、まず、器具本体４００の一対の開口縁部Ｌと、それに対向するカバー部材３０の一対の延出領域３３とが、直接的又は間接的に接触している。そして、摩擦低減部４３５によって、カバー部材３０の一対の延出領域３３と本体ユニット４００の一対の開口縁部Ｌとの間で発生する摩擦が低減される。このため、本実施形態のＬＥＤ照明器具も前記実施形態１同様に、点灯時において、隙間の発生によってスジ状に暗くなる事が無く、見栄えをよくさせるとともに、ＬＥＤ光源ユニット１００を点灯又は消灯した時に発生する音鳴りを抑制できる。
【００５７】
摩擦低減部４３５としては、例えば、スペーサーを有してもよい。この場合、前記スペーサーを介して、一対の開口縁部Ｌと一対の延出領域３３とが、間接的に接触している。前記スペーサーとしては、特に制限されず、例えば、粘着テープ等のテープ等、実施形態１で例示したものが挙げられる。
【００５８】
摩擦低減部４３５としては、例えば、潤滑剤層を有してもよい。この場合、前記潤滑剤層を介して、一対の開口縁部Ｌと一対の延出領域３３とが、間接的に接触している。前記潤滑剤としては、特に制限されず、例えば、実施形態１で例示したものが挙げられる。
【００５９】
摩擦低減部４３５としては、例えば、表面が凹凸形状の粗面層を有してもよい。前記粗面層を介して、例えば、一対の開口縁部Ｌと一対の延出領域３３とが、直接的又は間接的に接触している。
【００６０】
前記粗面層は、例えば、一対の開口縁部Ｌの表面層であり、前記表面層は、前記表面が粗面化処理された表面層である。この場合、一対の開口縁部Ｌと一対の延出領域３３とは、例えば、直接に接触している。前記粗面化処理としては、特に制限されず、例えば、実施形態１で例示したものが挙げられる。
【００６１】
［実施形態３］
本実施形態のＬＥＤ照明器具は、前述の通り、前記摩擦低減部を有する本発明のＬＥＤ光源ユニット及び本体ユニットの双方を備える形態である。図６は、本実施形態のＬＥＤ照明器具の一例を示す下方向からの斜視図である。本実施形態のＬＥＤ照明器具３０００は、摩擦低減部を有するＬＥＤ光源ユニット１００及び本体ユニット４００を主要構成要素として含む。図６に示すＬＥＤ光源ユニット１００は、図１に示す前記実施形態１のＬＥＤ光源ユニット１００と同一であり、図６に示す本体ユニット４００は、図５に示す前記実施形態２の本体ユニット４００と同一である。
【００６２】
本実施形態において、一対の延出領域３３側の摩擦低減部３５及び開口縁部Ｌ側の摩擦低減部４３５の構成は同一であってもよいし、異なっていてもよい。
【００６３】
本実施形態においても、まず、器具本体４００の一対の開口縁部Ｌと、それに対向するカバー部材３０の一対の延出領域３３とが、直接的又は間接的に接触している。そして、摩擦低減部４３５によって、カバー部材３０の一対の延出領域３３と本体ユニット４００の一対の開口縁部Ｌとの間で発生する摩擦が低減される。このため、本実施形態のＬＥＤ照明器具も前記実施形態１及び前記実施形態２と同様に、点灯時において、隙間の発生によってスジ状に暗くなる事が無く、見栄えをよくさせるとともに、ＬＥＤ光源ユニット１００を点灯又は消灯した時に発生する音鳴りを抑制できる。
【００６４】
本発明において、取付部材及びカバー部材の構成は、図２に示す前記実施形態１の取付部材２０及びカバー部材３０の構成に限定されない。前記取付部材としては、具体的には、例えば、図３に示す取付部材２０に代えて、ＬＥＤ実装基板１０を搭載可能な長尺状の搭載面を有し、且つ本体ユニット２００に取りつけ可能な係止部を有する構成としてもよい。前記カバー部材としては、具体的には、例えば、図２に示すカバー部材３０の構成要素である一対のレール部３２に代えて、カバー部材に取りつけ可能な一対の突起部を設けた構成としてもよい。前記突起部は、例えば、一対の延出領域３３に対し垂直方向に起立した状態で配置され、前記突起部が、取付部材２０と係止若しくは嵌合することにより、前記カバー部材に取り付けられる構成としてもよい。この場合、前記一対の突起部は、例えば、使用時において、本体ユニット２００の凹部２１１に収容される。
【００６５】
本発明のＬＥＤ照明器具は、台所、オフィス等の天井用照明器具としても利用でき、倉庫、工場等の大規模空間の高天井用照明器具としても好適に使用することが出来る。
【００６６】
以上、実施形態を参照して本発明を説明したが、本発明は、上記実施形態に限定されるものではない。本発明の構成や詳細には、本発明のスコープ内で当業者が理解しうる様々な変更をすることができる。
【符号の説明】
【００６７】
１０      ＬＥＤ実装基板
１１      ＬＥＤ
１２      実装面
２０      取付部材
２１      底部
２２      側壁部
２３      土台部
２４      ねじ止め孔
２５、２６      係止穴
３０      カバー部材
３１      カバー部
３２      レール部
３３      延出領域
３５、４３５      摩擦低減部
４０      電源部
１００、３００      ＬＥＤ光源ユニット
２００、４００      本体ユニット
２１０      本体板
２２０      板バネ状係止片
２１１      凹部
２１２      底面
２２１      折り返し端部
２２２      先端部
１０００、２０００、３０００      ＬＥＤ照明器具
【図１】
2019197746.tif 000003
【図２】
2019197746.tif 000004
【図３】
2019197746.tif 000005
【図４】
2019197746.tif 000006
【図５】
2019197746.tif 000007
【図６】
2019197746.tif 000008
【手続補正書】
【提出日】令和1年9月24日(2019.9.24)
【手続補正１】
【補正対象書類名】特許請求の範囲
【補正対象項目名】全文
【補正方法】変更
【補正の内容】
【特許請求の範囲】
【請求項１】
ＬＥＤ実装基板、取付部材、及びカバー部材を含み、
前記ＬＥＤ実装基板は、一方の表面にＬＥＤが実装された基板であり、
前記取付部材は、前記取付部材を収容可能な凹部を有する本体ユニットへの取付部材であり、前記ＬＥＤ実装基板を前記取付部材に取り付けるための一対の底部と、前記一対の底部から夫々起立した一対の側壁部と、前記側壁部の一端同士を結ぶ土台部とを有し、前記ＬＥＤ実装基板における実装面とは反対側の面の長手方向両端寄りに一対が配置され、
前記側壁部及び前記土台部は、板バネ状係止片に対する係止穴を有し、
前記板バネ状係止片は、先端部に向かう間に折り返した形状をした端部を有し、前記端部は、カーブ形状を有し、
前記カバー部材は、前記ＬＥＤ実装基板の実装面を覆うカバー部と前記ＬＥＤ実装基板を収容するレール部とを含み、前記カバー部の短手方向における一対の縁部が、短手方向において、前記本体ユニットの凹部の開口よりも外側に延出する一対の延出領域を有し、
前記カバー部の一対の延出領域は、前記本体ユニットの一対の開口縁部に対向する部分で前記レール部の短手方向の外側に、摩擦低減部を有し、
使用時において、
前記取付部材は、前記本体ユニットの凹部の長手方向の両端寄りに前記一対が収容され、
前記カバー部材は、前記ＬＥＤ実装基板の実装面に対する垂直方向において、前記ＬＥＤ実装基板の実装面及び前記本体ユニットの凹部の開口を覆うように配置され、
前記本体ユニットの凹部の短手方向における一対の開口縁部と、前記一対の開口縁部に対向する前記カバー部の一対の延出領域とは、それぞれ、前記ＬＥＤ実装基板の実装面に対する垂直方向において、長手方向に沿って重なり、且つ前記一対の開口縁部と、それに対向する前記カバー部の前記一対の延出領域とが、直接的又は間接的に接触しており、
前記摩擦低減部によって、前記カバー部の一対の延出領域と前記本体ユニットの一対の開口縁部との間で発生する摩擦が低減されることを特徴とするＬＥＤ光源ユニット。
【請求項２】
前記摩擦低減部として、スペーサーを有し、
前記スペーサーを介して、前記一対の開口縁部と前記一対の延出領域とが、間接的に接触している、請求項１記載のＬＥＤ光源ユニット。
【請求項３】
前記スペーサーが、テープである、請求項２記載のＬＥＤ光源ユニット。
【請求項４】
前記摩擦低減部として、潤滑剤層を有し、
前記潤滑剤層を介して、前記一対の開口縁部と前記一対の延出領域とが、間接的に接触している、請求項１から３のいずれか一項に記載のＬＥＤ光源ユニット。
【請求項５】
前記摩擦低減部として、表面が凹凸状の粗面層を有し、
前記粗面層を介して、前記一対の開口縁部と前記一対の延出領域とが、直接的又は間接的に接触している、請求項１から４のいずれか一項に記載のＬＥＤ光源ユニット。
【請求項６】
前記粗面層は、前記一対の延出領域の表面層であり、前記表面層は、前記表面が粗面化処理された表面層である、請求項５記載のＬＥＤ光源ユニット。
【請求項７】
前記粗面層は、前記一対の延出領域の表面層であり、前記一対の延出領域が、フィラーを含有する樹脂体である、請求項５記載のＬＥＤ光源ユニット。
【請求項８】
ＬＥＤ光源ユニットを取り付けるための凹部を有する本体ユニットであり、
前記本体ユニットは、本体板、及び一対の板バネ状係止片を含み、
前記本体板は、長手方向に延びる凹部と、長手方向に延びる、前記凹部に連結した傾斜面とを有し、
前記板バネ状係止片は、先端部に向かう間に折り返した形状をした端部を有し、前記端部は、カーブ形状を有し、前記板バネ状係止片は、前記本体板の長手方向の前方の端部側及び後方の端部側のそれぞれに、配置され、
前記本体ユニットに取付けられるＬＥＤ光源ユニットは、
ＬＥＤ実装基板、取付部材、及びカバー部材を含み、
前記ＬＥＤ実装基板は、一方の表面にＬＥＤが実装された基板であり、
前記取付部材は、前記取付部材を収容可能な凹部を有する本体ユニットへの取付部材であり、前記ＬＥＤ実装基板を前記取付部材に取り付けるための一対の底部と、前記一対の底部から夫々起立した一対の側壁部と、前記側壁部の一端同士を結ぶ土台部とを有し、前記ＬＥＤ実装基板における実装面とは反対側の面の長手方向両端寄りに一対が配置され、
前記側壁部及び前記土台部は、前記板バネ状係止片に対する係止穴を有し、
前記カバー部材は、前記ＬＥＤ実装基板の実装面を覆うカバー部と前記ＬＥＤ実装基板を収容するレール部とを含み、前記カバー部の短手方向における一対の縁部が、短手方向において、前記本体の凹部の開口よりも外側に延出する一対の延出領域を有し、
前記凹部の短手方向における一対の開口縁部は、前記カバー部の一対の延出領域に対向する部分で前記レール部の短手方向の外側に、摩擦低減部を有し、
使用時において、
前記取付部材は、前記本体ユニットの凹部の長手方向の両端寄りに前記一対が収容され、
前記カバー部材は、前記ＬＥＤ実装基板の実装面に対する垂直方向において、前記ＬＥＤ実装基板の実装面及び前記本体ユニットの凹部の開口を覆うように配置され、
前記本体ユニットの凹部の短手方向における一対の開口縁部と、前記一対の開口縁部に対向する前記カバー部の一対の延出領域とは、それぞれ、前記ＬＥＤ実装基板の実装面に対する垂直方向において、長手方向に沿って重なり、且つ前記一対の開口縁部と、それに対向する前記カバー部の前記一対の延出領域とが、直接的又は間接的に接触しており、
前記摩擦低減部によって、前記カバー部の一対の延出領域と前記本体ユニットの一対の開口縁部との間で発生する摩擦が低減されることを特徴とするＬＥＤ照明器具の本体ユニット。
【請求項９】
前記摩擦低減部として、スペーサーを有し、
前記スペーサーを介して、前記一対の開口縁部と前記一対の延出領域とが、間接的に接触している、請求項８記載の本体ユニット。
【請求項１０】
前記スペーサーが、テープである、請求項９記載の本体ユニット。
【請求項１１】
前記摩擦低減部として、潤滑剤層を有し、
前記潤滑剤層を介して、前記一対の開口縁部と前記一対の延出領域とが、間接的に接触している、請求項８から１０のいずれか一項に記載の本体ユニット。
【請求項１２】
前記摩擦低減部として、表面が凹凸形状の粗面層を有し、
前記粗面層を介して、前記一対の開口縁部と前記一対の延出領域とが、直接的又は間接的 に接触している、請求項８から１１のいずれか一項に記載の本体ユニット。
【請求項１３】
前記粗面層は、前記一対の開口縁部の表面層であり、前記表面層は、前記表面が粗面化処理された表面層である、請求項１２記載の本体ユニット。
【請求項１４】
ＬＥＤ光源ユニット及び本体ユニットを含み、
前記ＬＥＤ光源ユニットは、
ＬＥＤ実装基板、取付部材、及びカバー部材を含み、
前記ＬＥＤ実装基板は、一方の表面にＬＥＤが実装された基板であり、
前記取付部材は、前記取付部材を収容可能な凹部を有する本体ユニットへの取付部材であり、前記ＬＥＤ実装基板を前記取付部材に取り付けるための一対の底部と、前記一対の底部から夫々起立した一対の側壁部と、前記側壁部の一端同士を結ぶ土台部とを有し、前記ＬＥＤ実装基板における実装面とは反対側の面の長手方向両端寄りに一対が配置され、
前記側壁部及び前記土台部は、板バネ状係止片に対する係止穴を有し、
前記カバー部材は、前記ＬＥＤ実装基板の実装面を覆うカバー部と前記ＬＥＤ実装基板を収容するレール部とを含み、前記カバー部の短手方向における一対の縁部が、短手方向において、前記本体ユニットの凹部の開口よりも外側に延出する一対の延出領域を有し、
前記本体ユニットは、
前記ＬＥＤ光源ユニットを取り付けるための凹部、本体板、一対の前記板バネ状係止片を含み、
前記本体板は、長手方向に延びる凹部と、長手方向に延びる、前記凹部に連結した傾斜面とを有し、
前記板バネ状係止片は、先端部に向かう間に折り返した形状をした端部を有し、前記端部は、カーブ形状を有し、前記板バネ状係止片は、前記本体板の長手方向の前方の端部側及び後方の端部側のそれぞれに、配置され、
前記カバー部の一対の延出領域であって、前記本体ユニットの一対の開口縁部に対向する部分、及び、前記本体ユニットの凹部の短手方向における一対の開口縁部であって、前記カバー部の一対の延出領域に対向する部分の少なくとも一方が、前記レール部の短手方向の外側に摩擦低減部を有しており、
使用時において、
前記ＬＥＤ光源ユニットの前記取付部材は、前記本体ユニットの凹部の長手方向の両端寄りに前記一対が収容され、
前記カバー部材は、前記ＬＥＤ実装基板の実装面に対する垂直方向において、前記ＬＥＤ実装基板の実装面及び前記本体ユニットの凹部の開口を覆うように配置され、
前記本体ユニットの凹部の短手方向における一対の開口縁部と、前記一対の開口縁部に対向する前記カバー部の一対の延出領域とは、それぞれ、前記ＬＥＤ実装基板の実装面に対する垂直方向において、長手方向に沿って重なり、且つ前記一対の開口縁部と、それに対向する前記カバー部の前記一対の延出領域とが、直接的又は間接的に接触しており、
前記摩擦低減部によって、前記カバー部の一対の延出領域と前記本体ユニットの一対の開口縁部との間で発生する摩擦が低減されることを特徴とするＬＥＤ照明器具。
【請求項１５】
前記ＬＥＤ光源ユニットが、請求項１から７のいずれか一項に記載のＬＥＤ光源ユニット である、請求項１４記載のＬＥＤ照明器具。
【請求項１６】
前記本体ユニットが、請求項８から１３のいずれか一項に記載の本体ユニットである請求項１４又は１５記載のＬＥＤ照明器具。
【手続補正２】
【補正対象書類名】明細書
【補正対象項目名】０００７
【補正方法】変更
【補正の内容】
【０００７】
前記目的を達成するために、本発明のＬＥＤ光源ユニットは、
ＬＥＤ実装基板、取付部材、及びカバー部材を含み、
前記ＬＥＤ実装基板は、一方の表面にＬＥＤが実装された基板であり、
前記取付部材は、前記取付部材を収容可能な凹部を有する本体ユニットへの取付部材であり、前記ＬＥＤ実装基板を前記取付部材に取り付けるための一対の底部と、前記一対の底部から夫々起立した一対の側壁部と、前記側壁部の一端同士を結ぶ土台部とを有し、前記ＬＥＤ実装基板における実装面とは反対側の面の長手方向両端寄りに一対が配置され、
前記側壁部及び前記土台部は、板バネ状係止片に対する係止穴を有し、
前記板バネ状係止片は、先端部に向かう間に折り返した形状をした端部を有し、前記端部は、カーブ形状を有し、
前記カバー部材は、前記ＬＥＤ実装基板の実装面を覆うカバー部と前記ＬＥＤ実装基板を収容するレール部とを含み、前記カバー部の短手方向における一対の縁部が、短手方向において、前記本体ユニットの凹部の開口よりも外側に延出する一対の延出領域を有し、
前記カバー部の一対の延出領域は、前記本体ユニットの一対の開口縁部に対向する部分で前記レール部の短手方向の外側に、摩擦低減部を有し、
使用時において、
前記取付部材は、前記本体ユニットの凹部の長手方向の両端寄りに前記一対が収容され、
前記カバー部材は、前記ＬＥＤ実装基板の実装面に対する垂直方向において、前記ＬＥＤ実装基板の実装面及び前記本体ユニットの凹部の開口を覆うように配置され、
前記本体ユニットの凹部の短手方向における一対の開口縁部と、前記一対の開口縁部に対向する前記カバー部の一対の延出領域とは、それぞれ、前記ＬＥＤ実装基板の実装面に対する垂直方向において、長手方向に沿って重なり、且つ前記一対の開口縁部と、それに対向する前記カバー部の前記一対の延出領域とが、直接的又は間接的に接触しており、
前記摩擦低減部によって、前記カバー部の一対の延出領域と前記本体ユニットの一対の開口縁部との間で発生する摩擦が低減されることを特徴とする。
【手続補正３】
【補正対象書類名】明細書
【補正対象項目名】０００８
【補正方法】変更
【補正の内容】
【０００８】
本発明の本体ユニットは、
ＬＥＤ光源ユニットを取り付けるための凹部を有する本体ユニットであり、
前記本体ユニットは、本体板、及び一対の板バネ状係止片を含み、
前記本体板は、長手方向に延びる凹部と、長手方向に延びる、前記凹部に連結した傾斜面とを有し、
前記板バネ状係止片は、先端部に向かう間に折り返した形状をした端部を有し、前記端部は、カーブ形状を有し、前記板バネ状係止片は、前記本体板の長手方向の前方の端部側及び後方の端部側のそれぞれに、配置され、
前記本体ユニットに取付けられるＬＥＤ光源ユニットは、
ＬＥＤ実装基板、取付部材、及びカバー部材を含み、
前記ＬＥＤ実装基板は、一方の表面にＬＥＤが実装された基板であり、
前記取付部材は、前記取付部材を収容可能な凹部を有する本体ユニットへの取付部材であり、前記ＬＥＤ実装基板を前記取付部材に取り付けるための一対の底部と、前記一対の底部から夫々起立した一対の側壁部と、前記側壁部の一端同士を結ぶ土台部とを有し、前記ＬＥＤ実装基板における実装面とは反対側の面の長手方向両端寄りに一対が配置され、
前記カバー部材は、前記ＬＥＤ実装基板の実装面を覆うカバー部と前記ＬＥＤ実装基板を収容するレール部とを含み、前記カバー部の短手方向における一対の縁部が、短手方向において、前記本体の凹部の開口よりも外側に延出する一対の延出領域を有し、
前記凹部の短手方向における一対の開口縁部は、前記カバー部の一対の延出領域に対向する部分で前記レール部の短手方向の外側に、摩擦低減部を有し、
使用時において、
前記取付部材は、前記本体ユニットの凹部の長手方向の両端寄りに前記一対が収容され、
前記カバー部材は、前記ＬＥＤ実装基板の実装面に対する垂直方向において、前記ＬＥＤ実装基板の実装面及び前記本体ユニットの凹部の開口を覆うように配置され、
前記側壁部及び前記土台部は、前記板バネ状係止片に対する係止穴を有し、
前記本体ユニットの凹部の短手方向における一対の開口縁部と、前記一対の開口縁部に対向する前記カバー部の一対の延出領域とは、それぞれ、前記ＬＥＤ実装基板の実装面に対する垂直方向において、長手方向に沿って重なり、且つ前記一対の開口縁部と、それに対向する前記カバー部の前記一対の延出領域とが、直接的又は間接的に接触しており、
前記摩擦低減部によって、前記カバー部の一対の延出領域と前記本体ユニットの一対の開口縁部との間で発生する摩擦が低減されることを特徴とする。
【手続補正４】
【補正対象書類名】明細書
【補正対象項目名】０００９
【補正方法】変更
【補正の内容】
【０００９】
本体のＬＥＤ照明器具は、
ＬＥＤ光源ユニット及び本体ユニットを含み、
前記ＬＥＤ光源ユニットは、
ＬＥＤ実装基板、取付部材、及びカバー部材を含み、
前記ＬＥＤ実装基板は、一方の表面にＬＥＤが実装された基板であり、
前記取付部材は、前記取付部材を収容可能な凹部を有する本体ユニットへの取付部材であり、前記ＬＥＤ実装基板を前記取付部材に取り付けるための一対の底部と、前記一対の底部から夫々起立した一対の側壁部と、前記側壁部の一端同士を結ぶ土台部とを有し、前記ＬＥＤ実装基板における実装面とは反対側の面の長手方向両端寄りに一対が配置され、
前記側壁部及び前記土台部は、板バネ状係止片に対する係止穴を有し、
前記カバー部材は、前記ＬＥＤ実装基板の実装面を覆うカバー部と前記ＬＥＤ実装基板を収容するレール部とを含み、前記カバー部の短手方向における一対の縁部が、短手方向において、前記本体ユニットの凹部の開口よりも外側に延出する一対の延出領域を有し、
前記本体ユニットは、
前記ＬＥＤ光源ユニットを取り付けるための凹部、本体板、一対の前記板バネ状係止片を含み、
前記本体板は、長手方向に延びる凹部と、長手方向に延びる、前記凹部に連結した傾斜面とを有し、
前記板バネ状係止片は、先端部に向かう間に折り返した形状をした端部を有し、前記端部は、カーブ形状を有し、前記板バネ状係止片は、前記本体板の長手方向の前方の端部側及び後方の端部側のそれぞれに、配置され、
前記カバー部の一対の延出領域であって、前記本体ユニットの一対の開口縁部に対向する部分、及び、前記本体ユニットの凹部の短手方向における一対の開口縁部であって、前記カバー部の一対の延出領域に対向する部分の少なくとも一方が、前記レール部の短手方向の外側に摩擦低減部を有しており、
使用時において、
前記ＬＥＤ光源ユニットの前記取付部材は、前記本体ユニットの凹部の長手方向の両端寄りに前記一対が収容され、
前記カバー部材は、前記ＬＥＤ実装基板の実装面に対する垂直方向において、前記ＬＥＤ実装基板の実装面及び前記本体ユニットの凹部の開口を覆うように配置され、
前記本体ユニットの凹部の短手方向における一対の開口縁部と、前記一対の開口縁部に対向する前記カバー部の一対の延出領域とは、それぞれ、前記ＬＥＤ実装基板の実装面に対する垂直方向において、長手方向に沿って重なり、且つ前記一対の開口縁部と、それに対向する前記カバー部の前記一対の延出領域とが、直接的又は間接的に接触しており、
前記摩擦低減部によって、前記カバー部の一対の延出領域と前記本体ユニットの一対の開口縁部との間で発生する摩擦が低減されることを特徴とする。